(57)【要約】      （修正有）【課題】可動部の過度な移動による対物レンズ駆動装置とディスクの損傷と可動部の固着を防止して信頼性が高く、かつ作業性に優れた対物レンズ駆動装置を提供する。【解決手段】基板７３９からストッパ受け面７３２１までの間に、はんだ用フラックスの付着防止手段を設けることで達成される。はんだ用フラックスの付着防止手段は、基板７３９からストッパ受け面７３２１までの間に、段差を設けて構成されるとよく、溝７３２２またはレンズホルダの表面から突出した仕切り７３２３を設けたもの。また、はんだ用フラックスの付着防止手段は、基板７３９からストッパ受け面７３２１までの間に、溝７３２２とレンズホルダの表面から突出した仕切り７３２３を順に設けた。【選択図】図１
2010282669.tif 000002
【特許請求の範囲】
【請求項１】
光ディスクの記録面に光を集光する対物レンズと、
対物レンズを取付けたレンズホルダと、
前記レンズホルダをフォーカシング方向に動作させるためのフォーカシングコイルと、
前記レンズホルダをトラッキング方向に動作させるためのトラッキングコイルと、
これらから成る可動部を固定部に対してフォーカシング方向とトラッキング方向に動作可能に支持する直線状の複数の支持部材と、
前記支持部材の先端と前記各コイルとをはんだで電気的に接続する基板と、
前記フォーカシングコイルと前記トラッキングコイルに磁束を発生するための磁石とヨークで構成される磁気回路と、
前記ヨークの上方に取付けられて前記可動部側に突き出たストッパ部を有するカバーとを有し、
前記ストッパ部と接触して可動部の上方への移動量を制限するストッパ受け面を前記レンズホルダに設けた対物レンズ駆動装置において、
前記基板から前記ストッパ受け面までの間に、はんだ用フラックスの付着防止手段を設けたことを特徴とする対物レンズ駆動装置。
【請求項２】
請求項１に記載の対物レンズ駆動装置において、
前記基板から前記ストッパ受け面までの間に、段差を設けて構成されることを特徴とする対物レンズ駆動装置。
【請求項３】
請求項１に記載の対物レンズ駆動装置において、
前記基板から前記ストッパ受け面までの間に、溝を設けて構成されることを特徴とする対物レンズ駆動装置。
【請求項４】
請求項１に記載の対物レンズ駆動装置において、
前記基板から前記ストッパ受け面までの間であって、前記基板から前記ストッパ受け面側に偏った位置に前記レンズホルダの表面から突出した仕切りを設けて構成されることを特徴とする対物レンズ駆動装置。
【請求項５】
請求項１に記載の対物レンズ駆動装置において、
前記基板から前記ストッパ受け面までの間に、溝と前記レンズホルダの表面から突出した仕切りを順に設けて構成されることを特徴とする対物レンズ駆動装置。
【請求項６】
請求項１から請求項５に記載のいずれかの対物レンズ駆動装置を用いたことを特徴とするディスク装置。
【発明の詳細な説明】
【技術分野】
【０００１】
本発明は、光ディスクの記録面上に記録された情報を再生または情報の記録を行うために、対物レンズをフォーカシング方向とトラッキング方向へ駆動して、対物レンズの焦点位置をディスクの記録面上の目標トラックに合わせる対物レンズ駆動装置に関する。
【背景技術】
【０００２】
ディスク状の情報記録媒体に情報を記録し、または記録された情報を再生するディスク装置では、光ディスクを高速に回転させることによってデータ転送速度の高速化が図られている。このため、ディスク装置には対物レンズの焦点位置をディスク上のトラックに追従させて正確に情報を記録または再生するために、対物レンズをフォーカシング方向とトラッキング方向へ駆動する対物レンズ駆動装置が搭載されている。
【０００３】
一般的な対物レンズ駆動装置は、ヨークと永久磁石からなる磁気回路と対物レンズとフォーカシングコイルとトラッキングコイルを取付けたレンズホルダと、一端がこのレンズホルダの外縁部に固定されて他端が固定部に固定された直線状の支持部材とから構成される。このうち、対物レンズとレンズホルダとフォーカシングコイルとトラッキングコイルが支持部材によって固定部に対して動作可能に支持された可動部となる。
【０００４】
さらに対物レンズ駆動装置には、可動部をフォーカシング方向に駆動する際、可動部がディスク側へ過度に移動してディスクと衝突するのを防止するために、可動部の一部と接触して可動部のディスク側への移動量を制限するストッパ部材が設けられている。
【０００５】
このような対物レンズ駆動装置の組立工程において、はんだ付け作業を行うと、はんだ用のフラックスが滲み出したり飛散したりして部品の表面に付着する。特にストッパ部材や可動部側のストッパ部材との接触面に付着してしまうと、可動部がディスク側へ過度に移動しようとしてストッパ部材と接触したときに可動部とストッパ部材が固着して対物レンズの焦点位置を制御できなくなってしまう可能性があった。
【０００６】
これを解決するために、組立の初期工程でストッパ部材に保護フィルムを貼着し、最終工程で剥離することで、はんだ用のフラックスや接着剤がストッパ部材に付着するのを防止し、それによって可動部が固着してしまわないようにした対物レンズ駆動装置（下記特許文献１に示す例）が知られている。
【先行技術文献】
【特許文献】
【０００７】
【特許文献１】特開平１０−２２２８５８号公報（請求項１，第１図）
【発明の概要】
【発明が解決しようとする課題】
【０００８】
上記従来技術では、ストッパ部材に保護フィルムを貼り付け、最後に除去する細かな作業が必要となり組立工程が煩雑で作業性が低下する可能性があった。
【０００９】
本発明の目的は、可動部の過度な移動による対物レンズ駆動装置とディスクの損傷と可動部の固着を防止して信頼性が高く、かつ作業性に優れた対物レンズ駆動装置を提供し、それを用いたディスク装置において、ディスクの面振れや偏芯といった外乱が作用しても対物レンズの焦点位置をディスクの記録面上にある所定のトラックに常に一致させて、安定した記録再生動作を実現し、信頼性を向上させることが可能な対物レンズ駆動装置を提供することにある。
【課題を解決するための手段】
【００１０】
上記目的は、光ディスクの記録面に光を集光する対物レンズと、対物レンズを取付けたレンズホルダと、前記レンズホルダをフォーカシング方向に動作させるためのフォーカシングコイルと、前記レンズホルダをトラッキング方向に動作させるためのトラッキングコイルと、これらから成る可動部を固定部に対してフォーカシング方向とトラッキング方向に動作可能に支持する直線状の複数の支持部材と、前記支持部材の先端と前記各コイルとをはんだで電気的に接続する基板と、前記フォーカシングコイルと前記トラッキングコイルに磁束を発生するための磁石とヨークで構成される磁気回路と、前記ヨークの上方に取付けられて前記可動部側に突き出たストッパ部を有するカバーとを有し、前記ストッパ部と接触して可動部の上方への移動量を制限するストッパ受け面を前記レンズホルダに設けた対物レンズ駆動装置において、前記基板から前記ストッパ受け面までの間に、はんだ用フラックスの付着防止手段を設けたことにより達成される。
【００１１】
また上記目的は、前記基板から前記ストッパ受け面までの間に、段差を設けて構成されることにより達成される。
【００１２】
前記基板から前記ストッパ受け面までの間に、溝を設けて構成されることにより達成される。
【００１３】
また上記目的は、前記基板から前記ストッパ受け面までの間であって、前記基板から前記ストッパ受け面側に偏った位置に前記レンズホルダの表面から突出した仕切りを設けて構成されることにより達成される。
【００１４】
また上記目的は、前記基板から前記ストッパ受け面までの間に、溝と前記レンズホルダの表面から突出した仕切りを順に設けて構成されることにより達成される。
【発明の効果】
【００１５】
本発明によれば、可動部の過度な移動による対物レンズ駆動装置とディスクの損傷と可動部の固着を防止して信頼性が高く、かつ作業性に優れた対物レンズ駆動装置を提供でき、それを用いたディスク装置において、ディスクの面振れや偏芯といった外乱が作用しても対物レンズの焦点位置をディスクの記録面上にある所定のトラックに常に一致させて、安定した記録再生動作を実現し、信頼性を向上させることが可能な対物レンズ駆動装置を提供できる。
【図面の簡単な説明】
【００１６】
【図１】本発明の一実施例を示す、対物レンズ駆動装置の斜視図。
【図２】本発明の一実施例を示す、対物レンズ駆動装置の可動部の斜視図。
【図３】本発明の一実施例を示す、対物レンズ駆動装置の可動部の斜視図。
【図４】本発明の一実施例を示す、対物レンズ駆動装置の可動部の斜視図。
【図５】本発明の対物レンズ駆動装置を搭載したディスク装置のブロック図。
【発明を実施するための形態】
【００１７】
以下、図面を参照して本発明を実施するための形態について説明する。
【実施例１】
【００１８】
図１は本発明の対物レンズ駆動装置７３の斜視図である。  
なお、本実施例の説明では対物レンズ７３１が図示されていないディスクへ近づく方向を上、遠ざかる方向を下と定義して以下に説明する。
【００１９】
図１において、対物レンズ駆動装置７３は、ヨーク７３５と磁石７３６からなる磁気回路と、対物レンズ７３１とそれを取付けたレンズホルダ７３２からなる可動部と、この可動部を移動可能に支持する固定部７３３と、固定部７３３に接続され可動部を弾性支持する直線状の支持部材７３４で構成される。磁気回路は、可動部を挟んだ両側に両端が幅広で中央が幅狭の３つの磁石７３６をトラッキング方向に沿って交互に極性が異なるように連続して配置し、磁性体であるヨーク７３５に取付けている。
【００２０】
なお、本実施例では、３つの磁石７３６をトラッキング方向に沿って交互に極性が異なるように連続して並べてあるが、１つの磁石をトラッキング方向に沿って両端の磁極を幅広、中央の磁極を幅狭の３極に着磁しても同様の効果が得られる。
【００２１】
可動部を構成するレンズホルダはフォーカシングコイル７３７ａとトラッキングコイル７３７ｔが巻回しされている。支持部材７３４は、一端が固定部７３３の端面近辺に固定され、他端がレンズホルダの両外縁部に設けた突起に開けた穴を貫通して、フォーカシングコイル７３７ａ，トラッキングコイル７３７ｔと、基板７３９を中継してはんだ等によって電気的に接続され、外部から電流を供給する。この支持部材７３４はさらに、レンズホルダ７３２の突起に開けた穴の位置でレンズホルダに接着剤等によって固定される。
【００２２】
このような構成において、フォーカシングコイル７３７ａに電流を流すと、ヨーク７３５に取付けられた磁石７３６からの磁束の作用で生じる電磁力によって可動部が固定部７３３に対してフォーカシング方向に移動する。トラッキングコイル７３７ｔに電流を流すと、ヨーク７３５に取付けられた磁石７３６からの磁束の作用で生じる電磁力によって固定部７３３に対して可動部がトラッキング方向に移動する。
【００２３】
さらに本実施例の対物レンズ駆動装置７３は、レンズホルダ７３２の磁石７３６と対向する両側面のそれぞれにストッパ受け面７３２１を設けて、ヨーク７３５の上面に取付けられるカバー７３８から突き出たストッパ部７３８１と接触させることで可動部の上方への移動量を制限する仕組みを有しているので、万が一フォーカシングサーボが外れて可動部がフォーカシング方向の上方へ過度に移動しようとした場合でも、可動部はストッパ受け面７３２１とストッパ部７３８１とで規定された量以上には移動できないので、ディスクとの衝突が回避される。これにより、対物レンズ駆動装置７３とディスクの双方が損傷するのを防止できる。
【００２４】
このような対物レンズ駆動装置７３の組立において、フォーカシングコイル７３７ａ，トラッキングコイル７３７ｔと支持部材７３４を基板７３９を中継してはんだ付けする際に、はんだ用のフラックスが基板７３９やレンズホルダ７３２の表面に滲み出したり飛散したりして付着する。このはんだ用フラックスがストッパ受け面７３２１に付着してしまうと、可動部がフォーカシング方向の上方へ過度に移動しようとしてストッパ受け面７３２１がストッパ部７３８１と接触したときに可動部がストッパ部７３８１に固着して対物レンズ７３１の焦点位置を制御できなくなってしまう。これを避けるために、本実施例のレンズホルダ７３２では滲み出したり飛散したりしたはんだ用のフラックスのストッパ受け面７３２１への付着を防止するために、次のような構造になっている。
【００２５】
その詳細について図２を用いて説明する。  
図２は本発明の一実施例を示す、対物レンズ駆動装置７３の可動部の斜視図である。  
図２において、本実施例のレンズホルダ７３２はストッパ受け面７３２１へのはんだ用フラックスの付着防止手段として、基板７３９とストッパ受け面７３２１の間に段差を設けたことを特徴としている。具体的には、基板７３９とストッパ受け面７３２１の間に溝７３２２を設けている。
【００２６】
この特徴によって、基板７３９から滲み出たはんだ用のフラックスは基板７３９とストッパ受け面７３２１との間に設けた溝７３２２に留められるので、ストッパ受け面７３２１に流入するのを防止できる。
【００２７】
したがって、可動部が図１に示したストッパ部７３８１と固着してしまうことがなくなる。つまり可動部の固着を防止して対物レンズ駆動装置７３の信頼性を向上することができる。
【００２８】
さらに、本実施例ではレンズホルダ７３２の成型のみでストッパ受け面７３２１へのはんだ用フラックスの付着防止手段を構成できるため、ストッパ部７３８１とストッパ受け面７３２１への保護フィルムの貼り付けや、その除去といった細かな作業工程を新たに増やす必要もなく、組立時の作業性に優れている。
【００２９】
このように本実施例によれば、可動部の過度な移動による対物レンズ駆動装置とディスクの損傷と可動部の固着を防止して信頼性が高く、かつ作業性に優れた対物レンズ駆動装置を提供できる。
【実施例２】
【００３０】
図３は、本発明の第２の実施例を示す対物レンズ駆動装置７３の可動部の斜視図である。  
図３において、前記実施例１では基板７３９とストッパ受け面７３２１の間に、段差として溝７３２２を設けたが、本実施例においては、段差として基板７３９とストッパ受け面７３２１の間のストッパ受け面７３２１側へ偏った位置に、レンズホルダ７３２の表面から突出した仕切り７３２３を設けたことを特徴としている。本実施例のその他の構成は、実施例１と同様な構成となっているため、詳細な説明は省略する。
【００３１】
本実施例においても、基板７３９から滲み出たはんだ用のフラックスは基板７３９とストッパ受け面７３２１との間に設けた仕切り７３２３で遮られるので、ストッパ受け面７３２１に流入するのを防止できる。なお、本実施例のように仕切り７３２３を基板７３９から離し、ストッパ受け面７３２１側にずらすことによって、はんだ用フラックスが直接仕切り７３２３上に滲み出さないようにしてある。
【００３２】
さらに本実施例の場合には、基板７３９から滲み出たはんだ用フラックスに対してだけでなく、飛散したはんだ用フラックスも仕切り７３２３で遮られるので、ストッパ受け面７３２１への付着を阻止できる。
【実施例３】
【００３３】
図４は、本発明の第３の実施例を示す対物レンズ駆動装置７３の可動部の斜視図である。  
図４において、前記２つの実施例では基板７３９とストッパ受け面７３２１の間に、段差として溝７３２２またはレンズホルダ７３２の表面から突出した仕切り７３２３のいずれか１つのみを設けていたが、本実施例では基板７３９からストッパ受け面７３２１の間に、溝７３２２とレンズホルダ７３２の表面から突出した仕切り７３２３の両方を順に設けたことを特徴とする。本実施例のその他の構成も、実施例１と同様な構成となっているため、詳細な説明は省略する。
【００３４】
このような構成にすることで、基板７３９から滲み出たはんだ用のフラックスは基板７３９とストッパ受け面７３２１との間に設けた溝７３２２に留められ、基板７３９から飛散したはんだ用フラックスも仕切り７３２３で遮られるので、はんだ用のフラックスがストッパ受け面７３２１に付着するのを確実に防止できる。
【実施例４】
【００３５】
図５は本発明の対物レンズ駆動装置７３を適用したディスク装置１のブロック図である。  
図５において、ディスク装置１は、ディスク３を回転させるスピンドルモータ５と、ディスク３の情報を再生、またはディスク３に情報を記録する光学ヘッド７と、これらを制御する信号処理回路２を備えている。光学ヘッド７は、対物レンズ駆動装置７３と、レーザダイオード７１や光検出器７２などの光学部品を備えている。レーザダイオード７１には、レーザ駆動回路７４が接続されている。
【００３６】
ディスク回転制御回路６は、信号処理回路２からの指令を受けて、ディスク３を搭載したスピンドルモータ５を回転する。送り制御回路８は、信号処理回路２からの指令を受けて、フィードモータ４を駆動して光学ヘッド７をディスク３の半径方向の所定位置に移動させる。レーザ駆動回路７４は、信号処理回路２からの指令を受けてレーザダイオード７１を発光させる。レーザダイオード７１で発光されたレーザ光は対物レンズ７３１によってディスク３上に集光される。集光されたレーザ光はディスク３で反射し、対物レンズ７３１を通過して光検出器７２に入射する。光検出器７２で得られた検出信号は、サーボ信号検出回路１０および再生信号検出回路１１に送られる。サーボ信号検出回路１０は、検出信号に基づいてサーボ信号を生成し、対物レンズ駆動回路９へ送信する。対物レンズ駆動回路９は、対物レンズ駆動装置７３へ駆動電力を入力し、対物レンズ７３１を位置決め制御する。再生信号検出回路１１は、検出信号から再生信号を生成し、ディスク３の情報を再生する。
【００３７】
このディスク装置１は、本発明の対物レンズ駆動装置７３を適用しているので、ディスク３の面振れや偏芯といった外乱が作用しても対物レンズ７３１の焦点位置をディスク３の記録面上にある所定のトラックに常に一致させて、安定した記録再生動作を実現でき、信頼性の向上を図れる。
【００３８】
以上のごとく、本発明は基板からストッパ受け面までの間に、はんだ用フラックスの付着防止手段を設けることで達成される。はんだ用フラックスの付着防止手段は、基板からストッパ受け面までの間に、段差を設けて構成されるとよく、溝またはレンズホルダの表面から突出した仕切りを設けて構成されるとよい。また、はんだ用フラックスの付着防止手段は、基板からストッパ受け面までの間に、溝とレンズホルダの表面から突出した仕切りを順に設けて構成されるとさらによい。
【符号の説明】
【００３９】
１  ディスク装置
２  信号処理回路
３  ディスク
４  フィードモータ
５  スピンドルモータ
６  ディスク回転制御回路
７  光学ヘッド
８  送り制御回路
９  対物レンズ駆動回路
１０  サーボ信号検出回路
１１  再生信号検出回路
７１  レーザダイオード
７２  光検出器
７３  対物レンズ駆動装置
７４  レーザ駆動回路
７３１  対物レンズ
７３２  レンズホルダ
７３３  固定部
７３４  支持部材
７３５  ヨーク
７３６  磁石
７３７ａ  フォーカシングコイル
７３７ｔ  トラッキングコイル
７３８  カバー
７３９  基板
７３２１  ストッパ受け面
７３２２  溝
７３２３  仕切り
７３８１  ストッパ部
【図１】
2010282669.tif 000003
【図２】
2010282669.tif 000004
【図３】
2010282669.tif 000005
【図４】
2010282669.tif 000006
【図５】
2010282669.tif 000007